(57)【要約】【課題】操作性を考慮してプル式・プッシュ式のハンドルで縦長のラッチ片を後退動させること、及びラッチ片を硬質の合成樹脂材で成形したとしても、ハンドル側の押圧部分やラッチ片の係合部分が損傷する恐れが少ないと共に、ラッチ片を安定的に後退動させること。【解決手段】硬質の合成樹脂材で成形された建具用ラッチ錠のラッチ片は、扉の縦框に設けられたフロント部材から突出する係合先端部と、該係合先端部に連設すると共に、縦框に内装された縦長状ラッチケース内に位置する縦長状受け後端部とから成り、縦長状受け後端部の内外の台座部材に対応する一方の垂直面には、プル式ハンドルの複数の押圧部分が同時に係合する上下の係合凹所が形成され、また前記垂直面とは反対側の他方の垂直面には、プッシュ式ハンドルの作動レバーの複数の押圧部分が同時に係合する上下の反対側係合凹所が形成されている建具用ラッチ錠におけるラッチ片。【選択図】図７
2015081433.tif 000002
【特許請求の範囲】
【請求項１】
硬質の合成樹脂材で成形された建具用ラッチ錠のラッチ片は、扉の幅が狭い縦框に設けられたフロント部材から突出する係合先端部と、該係合先端部に連設すると共に、前記幅が狭い縦框に内装された縦長状ラッチケース内に位置する縦長状受け後端部とから成り、前記縦長状受け後端部の内外の台座部材に対応する一方の垂直面には、プル式ハンドルの複数の押圧部分が同時に係合する上下の係合凹所が形成され、また前記垂直面とは反対側の他方の垂直面には、プッシュ式ハンドルの作動レバーの複数の押圧部分が同時に係合する上下の反対側係合凹所が形成されている建具用ラッチ錠におけるラッチ片。
【請求項２】
請求項１に於いて、ラッチケースは、一側開口の縦長状ケース身と、前記一側開口を閉じる縦長状ケース蓋とから成り、該ラッチケースは、プル側のハンドルの押圧部分が入り込む上下一組の開口と、該プル側の開口とは反対側にプッシュ側のハンドルの作動レバーの押圧部分が入り込む上下一組の開口がそれぞれ設けられ、少なくとも前記いずれかの上下一組の開口は、ラッチ片の垂直面の上下にそれぞれ突設したガイド突起と係合することを特徴とする建具用ラッチ錠におけるラッチ片。
【請求項３】
請求項１に於いて、プル側の複数の押圧部分及びプッシュ側の作動レバーの複数の押圧部分は、それぞれ板状に形成されていることを特徴とする建具用ラッチ錠におけるラッチ片。
【請求項４】
請求項１に於いて、フロント部材は、矩形状案内開口を有するフロント本体と、該フロント本体の裏面に位置し、前記矩形状案内開口と連通する裏開口を有するフロント裏板とから成り、前記フロント本体の矩形状案内開口の少なくとも左右の縁部分は、前記裏開口を貫通して奥部へ延在する端板部分となっており、ラッチ片は前記左右の端板部分に案内されることを特徴とする建具用ラッチ錠におけるラッチ片。
【請求項５】
請求項１に於いて、ラッチケースが設けられた縦框は、浴室の扉の狭框であることを特徴とする建具用ラッチ錠におけるラッチ片。
【請求項６】
閉扉動作時には、扉の縦框内に組み込まれたラッチケース内にラッチ付勢手段のバネ力に抗して後退し、開扉時には、前記ラッチ付勢手段のバネ力によって前記縦框から突出する硬質の合成樹脂材で成形されたラッチ片を含む建具用ラッチ錠であって、
前記ラッチ片は、前記縦框に設けられたフロント部材から突出する係合先端部と、該係合先端部に連設すると共に、前記縦框に内装された縦長状ラッチケース内に位置する縦長状受け後端部とから成り、前記縦長状受け後端部の内外の台座部材に対応する一方の垂直面には、プル式ハンドルの複数の押圧部分が同時に係合する上下の係合凹所が形成され、また前記垂直面とは反対側の他方の垂直面には、プッシュ式ハンドルの作動レバーの複数の押圧部分が同時に係合する上下の反対側係合凹所が形成されていることを特徴とする建具用ラッチ錠。
【請求項７】
請求項６に於いて、建具用ラッチ錠は、幅が狭い縦框に内装されていることを特徴とする建具用ラッチ錠。
【発明の詳細な説明】
【技術分野】
【０００１】
本発明は建具用ラッチ錠におけるラッチ片に関し、特に幅が狭い浴室の狭框等にラッチケースを介して設けられる建具用ラッチ錠におけるラッチ片及び建具用ラッチ錠に関する。
【背景技術】
【０００２】
特許文献１には、ラッチ片後退動機構を備えるラッチ錠が、建具としての浴室のドア等の自由端部に取付けることが記載されている（段落００１７）。そして、特許文献１には、内外の操作部材でラッチを図示しないラッチバネのバネ力に抗して後退動させることも記載されている（段落０００２、００１８）。
【０００３】
しかしながら、特許文献１には、内外の操作部材がプル式・プッシュ式のハンドルであること、ラッチを合成樹脂で成形すること、プル式・プッシュ式のハンドルで縦長のラッチを後退動させること、ラッチケースを縦長に形成し、ラッチケースを浴室のドアの幅が狭いサッシ型縦框に組み込むこと等の事項は記載されていない。なお、特許文献２には、プッシュ・プル式のハンドルが記載されている。
【０００４】
現在、湿度が高い浴室のドアに硬質の合成樹脂材で成形したラッチ片を用いたラッチ錠の出現が期待されている。そこで、本発明は、ハンドルの操作性を考慮すると共に、好ましくは、浴室のドアの「狭框」に装着することができる建具用ラッチ錠におけるラッチ片を提案することである。
【先行技術文献】
【特許文献】
【０００５】
【特許文献１】特許第５１３３２７３号公報
【特許文献２】特開２００４−１００２８３号公報
【発明の概要】
【発明が解決しようとする課題】
【０００６】
本発明の目的は、操作性を考慮してプル式・プッシュ式のハンドルで縦長のラッチ片を後退動させること、及びラッチ片を硬質の合成樹脂材で成形したとしても、ハンドル側の押圧部分やラッチ片の係合部分が損傷する恐れが少ないと共に、ラッチ片を安定的に後退動させることである。また比較的に横幅が狭い扉の「縦框」の内部に縦長状ラッチケースと共に組み込むことができることである。第２の目的は、ラッチ片に傷が付かないことである。第３の目的は、新規なラッチ片を含む建具用ラッチ錠を提案することである。
【課題を解決するための手段】
【０００７】
硬質の合成樹脂材で成形された建具用ラッチ錠のラッチ片は、扉の幅が狭い縦框に設けられたフロント部材から突出する係合先端部と、該係合先端部に連設すると共に、前記幅が狭い縦框に内装された縦長状ラッチケース内に位置する縦長状受け後端部とから成り、前記縦長状受け後端部の内外の台座部材に対応する一方の垂直面には、プル式ハンドルの複数の押圧部分が同時に係合する上下の係合凹所が形成され、また前記垂直面とは反対側の他方の垂直面には、プッシュ式ハンドルの作動レバーの複数の押圧部分が同時に係合する上下の反対側係合凹所が形成されていることを特徴とする。
【０００８】
また建具用ラッチ錠は、閉扉動作時には、扉の縦框内に組み込まれたラッチケース内にラッチ付勢手段のバネ力に抗して後退し、開扉時には、前記ラッチ付勢手段のバネ力によって前記縦框から突出する硬質の合成樹脂材で成形されたラッチ片を含む建具用ラッチ錠であって、前記ラッチ片は、前記縦框に設けられたフロント部材から突出する係合先端部と、該係合先端部に連設すると共に、前記縦框に内装された縦長状ラッチケース内に位置する縦長状受け後端部とから成り、前記縦長状受け後端部の内外の台座部材に対応する一方の垂直面には、プル式ハンドルの複数の押圧部分が同時に係合する上下の係合凹所が形成され、また前記垂直面とは反対側の他方の垂直面には、プッシュ式ハンドルの作動レバーの複数の押圧部分が同時に係合する上下の反対側係合凹所が形成されていることを特徴とする建具用ラッチ錠。この建具用ラッチ錠は、望ましくは、幅が狭い縦框に内装されている。
【発明の効果】
【０００９】
（ａ）請求項１に記載の発明はプル式・プッシュ式のハンドルで縦長のラッチ片を後退動させることができる。また、プル側及びプッシュ側のハンドルの操作力が一箇所に集中しない。したがって、ラッチ片１１を硬質の合成樹脂材で成形しても、ハンドル側の押圧部分８、９やラッチ片１２の係合部分が損傷する恐れが少ない。さらに、上下の係合凹所２５、２６（反対側係合凹所２８，２９）にハンドル５、６の複数の押圧部分８、９が同時に係合するので、ラッチ片１１は安定的に後退動する。加えて、ラッチ片１１に縦長状受け後端部１４を設けたので、縦長状ラッチケース１１内に組み込むことができる。その結果、台座部材の小型化、コンパクト化が可能と成り、例えば比較的に横幅が狭い「狭框」の内部に縦長状ラッチケース１１と共に組み込むことができる。
（ｂ）請求項２に記載の発明は、ラッチケースは、一側開口の縦長状ケース身と、前記一側開口を閉じる縦長状ケース蓋とから成り、該ラッチケースは、プル側のハンドルの押圧部分が入り込む上下一組の開口と、該プル側の開口とは反対側にプッシュ側のハンドルの作動レバーの押圧部分が入り込む上下一組の開口がそれぞれ設けられているので、ラッチケースを比較的に横幅が狭い扉の「狭框」の内部に組み込むことができると共に、ラッチ片を安定的に後退動させることができる。
（ｃ）請求項３に記載の発明は、前記（ｂ）と同様に、プル側の複数の押圧部分及びプッシュ側の作動レバーの複数の押圧部分はそれぞれ板状に形成されているので、ラッチ片を安定的に後退動させることができる。
（ｄ）請求項４に記載の発明は、フロント部材は、矩形状案内開口を有するフロント本体と、該フロント本体の裏面に位置し、前記矩形状案内開口と連通する裏開口を有するフロント裏板とから成り、前記フロント本体の矩形状案内開口の少なくとも左右の縁部分は、前記裏開口を貫通して奥部へ延在する端板部分となっており、ラッチ片は前記左右の端板部分に案内されるので、フロント部材が金属であっても、その開口縁によってラッチ片に傷が付かない。
（ｅ）請求項５に記載の発明は、浴室の扉の狭框に適用することができる。
（ｆ）請求項６及び請求項７に記載の発明は、浴室の扉の狭框に適用可能な建具用ラッチ錠を得ることができる。
【図面の簡単な説明】
【００１０】
図１乃至図１３は本発明の一実施形態を示す各説明図。
【図１】本発明の実施形態であるラッチ片を適用した建具の斜視図。
【図２】平面視から見た環境説明図。
【図３】フロント部材の説明図。
【図４】ラッチケースのケース蓋側から見た説明図。
【図５】ラッチ錠の内部構造を示す横断面の概略説明図。
【図６】ラッチ錠の内部構造を示す縦断面の概略説明図。
【図７】図４に於いて、ケース蓋を外した説明図。
【図８】図７の８−８線概略断面説明図。
【図９】浴室側（内側の台座部材）側から見た斜視図。
【図１０】脱衣室（外側の台座部材）側から見た斜視図。
【図１１】平面視からのプル側の概略断面説明図。
【図１２】平面視からのプッシュ側の概略断面説明図。
【図１３】平面視からのラッチ片が後退動した概略断面説明図。
【発明を実施するための最良の形態】
【００１１】
（１）環境の説明
図１乃至図１３は、本発明の一実施形態の各説明図である。図１は本発明の実施形態であるラッチ片（の後退動機構）Ｙを適用した建具の斜視図である。ここで例示する建具は、浴室のドア、室内のドア等建造物の室内において部屋を仕切る壁に設けられるドア（扉）であり、扉枠１及び扉２を備えている。
【００１２】
扉枠１は、上枠部材１ａ、下枠部材１ｂ及び左右一対の縦枠部材１ｃ、１ｄを四周枠組みすることによって構成されている。周知の如く、扉２は扉枠１の部屋開口を閉塞することのできる大きさを有した板体である。この扉２は、少なくともラッチ受け３を有する図面左側の縦枠部材１ｃに対して対向する扉自由端部側の縦框２ａを有し、例えば浴室のドアの扉自由端部の縦框２ａは、当業者の間で、横幅が狭い「狭框」と称されている。
【００１３】
また扉取付け基端部の縦框２ｂは、図面右側の縦枠部材１ｄに上下一対のヒンジ４を介して連結され、扉２はヒンジ４の垂直軸の軸回りに回動する。浴室のドア（扉）２は、普通一般に浴室ＩＮ側（ヒンジ４が見える側）に開くので、図１では、後述するラッチ片を後退動させるためにプル式のハンドル５を手前に引く。また図１では、扉２の向こう側の狭框２ａの外壁面に台座部材を介してプッシュ式のハンドルが設けられている。したがって、扉２の向こう側は脱衣室（ＯＵＴ）である（図５参照）。
【００１４】
図２は平面視から見た環境説明図である。図２で示すように、扉２の自由端部の狭框２ａにラッチケース１１の一部又は全部（実施形態）が組み込まれている。付言すると、ラッチケース１１にはラッチ片１２が水平移動可能に設けられ、閉扉時、ラッチ片１２の係合先端部１３はフロント部材から常時突出している。したがって、ラッチ片１２は扉２の自由端部のラッチ受け３と対向する側縁部にラッチ付勢手段１５に付勢された状態で進退動自在に設けられている。
【００１５】
一方、扉枠１にラッチ受け３が設けられているが、普通一般に、ラッチ受け３と共に、扉２の内外の壁面に固定した台座部材２１、２２、内外の台座部材に可動自在に設けた内外の操作部材５、６及びラッチケース１１、ラッチ片１２、ラッチバネ等は、ラッチ錠Ｘを構成する要件である。本発明は、ラッチ錠Ｘを特定する各要件に関して個別的に新規事項が存在するが、特に、ラッチ片１２の構成に特徴事項が存在するので、以下、ラッチ片の後退動機構Ｙに絞って具体的構成を説明し、発明の特定要件に関係しない、その余の事項は簡単に説明する。
【００１６】
（２）ラッチ片の後退動機構Ｙの主要部
ラッチ片後退動機構Ｙは、扉自由端部の縦框２ａの内外に固定的に取付けられる内外の台座部材２１、２２と、これらの台座部材にそれぞれ回転可能に設けられる内外のプル式・プッシュ式のハンドル５，６と、前記縦框２ａに組み込まれたラッチケース１１に設けられ、かつ前記ハンドルの操作力によりラッチバネ１５のバネ力に抗して水平方向に後退動するラッチ片１２とを備えている。
【００１７】
しかして、前記ラッチ片１２は、ＡＢＳ樹脂、ＡＳＡ樹脂、ＡＣＳ樹脂、ＡＥＳ樹脂等の硬質の合成樹脂材で成形され、該ラッチ片１２は、前記扉自由端部（縦框）２ａに設けられたフロント部材１６からラッチバネ１５のバネ力により突出する係合先端部１３と、該係合先端部１３に連設すると共に、前記ラッチケース１１内に常に位置する縦長状の受け後端部１４とから成り、前記縦長状の受け後端部１４は、その前記内外の台座部材２１、２２（室内ＩＮ、室外ＯＵＴ）に対応する一方の垂直側面１４ａには、前記プル側のハンドル５の複数の押圧部分８が同時に係合する上下の係合凹所２５、２６が形成され、また前記垂直側面１４ａとは反対側の他方の垂直側面１４ｂには前記プッシュ側のハンドル６の作動レバー７の複数の押圧部分９が同時に係合する上下の反対側係合凹所２８、２９が形成されている。
【００１８】
例えば図２、図５等で示すように、ラッチ片１２の係合先端部１３は、ラッチ受け３の垂直内面と当接する係止面（当接面）１３ａと、該係止面１３ａと鋭角方向に形成された垂直案内面１３ｂを有し、前記係止面１３ａは、扉２の垂直外縁面に対して直角となる態様で水平方向に延在する。一方、前記垂直案内面１３ｂは、ラッチ片１２の先端に向かうに従って漸次係止面１３ａとの距離が小さくなるように延在し、扉２を閉じる際に扉枠１のラッチ受け３に当接する部位に対して斜め方向に形成されている（平面視、直角三角形状に見える）。
【００１９】
そして、ラッチ片１２は、扉２の表裏両面に設けたプル式・プッシュ式のハンドル５，６のいずれかの操作力により、ラッチケース１１に内装したラッチバネ１５のバネ力に抗して後退動する。
【００２０】
（３）ラッチ片１２の具体的構成
図８乃至図１２を参照にして、ラッチ片１２の具体的構成を説明する。図８は図７の８−８線概略断面説明図で、この図８を参照にすると、ラッチケース１１は縦長状に形成され、左右の側壁の上下に上下一組の開口３１、３２がそれぞれ設けられている。
【００２１】
すなわち、ラッチケース１１は、一側開口の縦長状ケース身１１ａと、前記一側開口を閉じる縦長状ケース蓋１１ｂとから成り、該ラッチケース１１は、プル側のハンドルの押圧部分８が入り込む上下一組の矩形状開口３１と、該プル側の開口とは反対側にプッシュ側のハンドルの作動レバー７の押圧部分９が入り込む上下一組の矩形状開口３２がそれぞれ設けられている。
【００２２】
実施形態では、ケース蓋１１ｂの上端部寄りの部位と下端部寄りの部位にプル側のハンドルの押圧部分８が入り込む上下一組の矩形状開口３１、３１が形成され、一方、ケース身１１ａの前記ケース蓋１１ｂと対向する幅広側壁の中央部寄りの部位に作動レバー７の押圧部分９が入り込む上下一組の矩形状開口３２、３２が形成されている。なお、ケース身１１ａとケース蓋１１ｂは複数の固着具３３を介して適宜に結合する。
【００２３】
しかして、この縦断面縦長状のラッチケース１１の中に断面中央部を基準にすると、上方が断面Ｓ字形状で、一方、下方が前記断面Ｓ字形状に対して上下対称のラッチ片１２が組み込まれている。図９は浴室側（内側の台座部材）側から見た斜視図である。
【００２４】
実施形態の操作部材としてのハンドルは、浴室側がプル式のハンドル５なので、該プル式のハンドル５に対応するように、一方の垂直面１４ａには、ハンドル５の二つの押圧部分８、８が係入する上方の係合凹所２５と下方の係合凹所２６が形成されている。すなわち、図９を基準にすると、一方の垂直面１４ａと直交する後壁部分側の上下の係合凹所２５、２６の各内壁面２８、２６ａは、二つの押圧部分８、８を同時に受ける係合受け面である。上方の係合凹所２５は前記上方係合受け面２８と直交する上壁２５ｂを有し、一方、下方の係合凹所２６は前記下方係合受け面２６ａと直交する下壁２６ｂを有する。また上方の係合凹所２５は、その凹所の奥部に上壁２５ｂに連設する垂直壁２５ｃ及び該垂直壁２５ｃの下部に連設して前記上壁２５ｂに対向する右下がりの傾斜壁２５ｄを有する。同様に下方の係合凹所２６も、その凹所の奥部に下壁２６ｂに連設する垂直壁２６ｃ及び該垂直壁２６ｃの上部に連設して前記下壁２６ｂに対向する右上がりの傾斜壁２６ｄを有する。
【００２５】
したがって、上下の係合凹所２５、２６は、それぞれ手前側の開口縁が大きく、凹所の奥部に至にしたがって狭くなっている端面ややコ字形状の切欠凹所である。そして、実施形態では、一方の垂直面１４ａの上方（上壁２５ｂ）と下方（下壁２６ｂ）に上下一対のガイド突起３５、３５が設けられ、これらのガイド突起は、図４で示すようにケース蓋１１ｂの上下一組の矩形状開口３１、３１と係合している。
【００２６】
図１０は脱衣室（外側の台座部材）側から見た斜視図である。この図１０では、図９とは逆に、他方の垂直面１４ｂが見える。したがって、２８、２９は、プッシュ側のハンドルの作動レバー（変換レバー）７の複数の板状押圧部分９、９が同時に係合する上下の反対側係合凹所である。これらの反対側係合凹所２８、２９は、中央部に相当する係合先端部１３寄りに上下対称に形成されている。反対側係合凹所２８、２９も一方の垂直面１４ａの上方の係合凹所と同様に作動レバー（変換レバー）７の二つの板状押圧部分９、９を受ける上方係合受け面２８ａと下方係合受け面２９ａを有する。また一方の垂直面１４ａの中央部寄りの部位には、上下一対のガイド突起３６、３６が設けられ、これらのガイド突起は、図１１で示すようにケース身１１ａの上下一組の矩形状開口３２、３２と係合している。
【００２７】
図１１は平面視からのプル側の概略断面説明図で、この図１１ではプル側のハンドル５の押圧部分８が係合凹所２５（２６）に入り込み、図２で示すようにハンドル５を引くと、前記押圧部分８が係合凹所２５（２６）の内壁面２８（２６ａ）に当接することから、ラッチ片１２がラッチバネ１５のバネ力に抗して後退動することを示す。
【００２８】
これに対して、図１２は平面視からのプッシュ側の概略断面説明図で、この図１２ではプッシュ側のハンドル６の作動レバー（変換レバー）７の押圧部分９が係合凹所２５（２６）に入り込み、図２で示すようにハンドル５を引くと、前記押圧部分８が反対側係合凹所２８（２９）の内壁面２８ａ（２９ａ）に当接することから、プル側と同様にラッチ片１２がラッチバネ１５のバネ力に抗して後退動することを示す。
【００２９】
（４）フロント部材
図３はフロント部材１６の説明図である。フロント部材１６は、矩形状案内開口１９を有するフロント本体１７と、該フロント本体の裏面に位置し、前記矩形状案内開口と連通する裏開口１８ａを有するフロント裏板１８とから成り、前記フロント本体１７の矩形状案内開口１９の少なくとも左右の縁部分は、前記裏開口１８ａを貫通して奥部へ延在する端板部分１９、１９となっており、図１３で示すように、ラッチ片１２は前記左右の端板部分１９、１９に案内される。したがって、フロント部材１６が金属で成形されていても、合成樹脂製のラッチ片１２の側壁に傷を付けない。
【００３０】
（５）内外の台座部材
図５及び図６を参照にして、内外の台座部材２１、２２を説明する。内外の台座部材２１、２２は、例えば合成樹脂材で成形され、各台座部材２１、２２は、内外の縦長垂直基板４１、４２と、内外の縦長垂直基板４１、４２をそれぞれ外から囲む内外の台座本体４３、４４とから成る。
【００３１】
ここで図６を基準にして、前記内外の縦長垂直基板４１、４２と、内外の縦長垂直基板４１、４２との組合せ法を簡単に説明する。まず、図面右側が「プル用台座本体４３」で、このプル用台座本体４３の不番の内壁凹所に、内の縦長垂直基板４１の垂直基板部分４１ａを嵌め合せ、該嵌合状態で複数個の小ネジ５５、５５を介して垂直基板部分４１ａをプル用台座本体４３に固定する。
【００３２】
次に、前記縦長垂直基板４１の縦長垂直基板部分４１ａの一側面（外壁面）に突出形成された上下の水平腕４１ｃ、４１ｃをラッチケース１１の上下のケース支持孔２０に係入させると共に、プル用台座本体４３の内壁面に突設した上下のメネジ取付け筒を狭框２ａの不番の取付け孔に同時に差込む。
【００３３】
次に、図面左側が「プッシュ用台座本体４４」で、このプッシュ用台座本体４４の不番の内壁凹所に、外の縦長垂直基板４２の垂直基板部分４２ａを嵌め合せ、該嵌合状態で縦長垂直基板４２の縦長垂直基板部分４２ａの一側面（外壁面）に突出形成された上下の水平腕４２ｃ、４２ｃをラッチケース１１の反対側の上下のケース支持孔２０に係入させると共に、プッシュ用台座本体４４の内壁面に突設した上下の固着具用の取付け筒を狭框２ａに形成した不番の反対側の取付け孔に同時に差込む。
【００３４】
上記の如く、図面右側のプル式ハンドル５の挿入基端部５ａを軸支した「プル用台座本体４３」の内端面と、図面左側のプッシュ式ハンドル６の挿入基端部６ａを軸支した「プッシュ用台座本体４４」の内端面とを狭框２ａの内外の壁面に対応するように一致した状態を保持しつつ、最後に、複数の固着具４７、４７を前記プッシュ用台座本体４４の固着具用の取付け筒にそれぞれ挿通して、各固着具の螺子部分をプル用台座本体４３のメネジ取付け筒に螺合させる。
【００３５】
であるから、実施形態では、縦長垂直基板４１、４２の縦長垂直基板部分４１ａ、４２ａの外壁面に、ラッチケース１１を支持する上下の水平腕４１ｃ、４２ｃが突出形成されている。また、縦長垂直基板又は台座本体のいずれかに、鉛直軸４５を介して作動レバー７が軸支されている。実施形態では、図面左側の縦長垂直基板４２が鉛直軸４５を介して作動レバー（変換レバー）７を軸支している。内外のハンドル５、６自体は、内外の台座本体４３、４４に垂直軸４６、４６を介してそれぞれ軸支されている。プル側の複数の押圧部分８、８及びプッシュ側の作動レバー７を、それぞれ鉛直軸４５や垂直軸４６を介して支持する内外の支持基板４１、４２には、内外の台座本体４３、４４がそれぞれ外嵌合する。そして、前記内外の台座本体４３、４４は、図６で示すように、複数の固着具４７を介して一体的に連結されている。
【００３６】
ところで、プル式・プッシュ式５、６のハンドルは、図５で示すように、内外の支持基板４１、４２に内外対称的に設けた一対の付勢手段５２にそれぞれ付勢されている。実施形態では、狭框２ａの内外の壁面に内外の台座部材２１、２２を固着することから、付勢手段５２用の各空間部分５１、５１は、内外の縦長支持基板４１、４２の付勢手段用垂直基板部分４１ａ、４２ａの内壁面とプル式・プッシュ式のハンドルの挿入基端部５ａ、６ａの付勢手段用垂直受け面の間であり、これらの各空間部分５１、５１には、圧縮バネ５１ａと、該圧縮バネの他端部を受ける筒状バネ受け５１ｂがそれぞれ組み込まれている。
【００３７】
（６）建具用ラッチ錠
以上の説明から明らかなように、ラッチ片１２を含む建具用ラッチ錠Ｘの構成は次のとおりである。すなちわ、閉扉動作時には、扉２の縦框２ａ内に組み込まれたラッチケース１１内にラッチ付勢手段１５のバネ力に抗して後退し、開扉時には、前記ラッチ付勢手段１５のバネ力によって前記縦框２ａから突出する硬質の合成樹脂材で成形されたラッチ片１２を含む建具用ラッチ錠Ｘであって、前記ラッチ片１２は、前記縦框２ａに設けられたフロント部材１６から突出する係合先端部１３と、該係合先端部に連設すると共に、前記縦框に内装された縦長状ラッチケース１１内に位置する縦長状受け後端部１４とから成り、前記縦長状受け後端部１４の内外の台座部材２１，２２に対応する一方の垂直面１４ａには、プル式ハンドルの複数の押圧部分が同時に係合する上下の係合凹所２５、２６が形成され、また前記垂直面とは反対側の他方の垂直面１４ｂには、プッシュ式ハンドルの作動レバーの複数の押圧部分が同時に係合する上下の反対側係合凹所２８，２９が形成されている。このように構成すると、本発明の目的を達成することができる。
【実施例】
【００３８】
実施形態に於いて、ラッチ片１２の上下の係合凹所２５、２６又は／及び上下の反対側係合凹所２８、２９は、図面で示した断面Ｓ字型形状、端面略コ字形状以外に、発明の課題を逸脱しない範囲で、断面Ｃ字型形状、断面ラッパ形状等、適宜に設計変更し得る事項である。
【産業上の利用可能性】
【００３９】
本発明は、錠前や建具の分野で利用することができる。
【符号の説明】
【００４０】
Ｘ…ラッチ錠、
Ｙ…ラッチ片の後退動機構、
１…扉枠、２…扉、２ａ…自由端部の縦框、
５…プル式のハンドル、５ａ…プル側の挿入基端部、
６…プッシュ式のハンドル、６ａ…プッシュ側の挿入基端部、
７…作動レバー、
８…プル側の押圧部分、
９…プッシュ側の押圧部分、
１１…ラッチケース、
１１ａ…縦長状ケース身、１１ｂ…縦長状ケース蓋、
１２…ラッチ片、
１３…係合先端部、
１４…受け後端部、
１５…ラッチバネ、
１６…フロント部材、
１７…フロント本体、
１８…フロント裏板、
１９…端板部分、
２１…内側の台座部材、
２２…外側の台座部材、
２５…上の係合凹所、
２６…下の係合凹所、
２８…上の反対側係合凹所、
２９…下の反対側係合凹所、
３１…プル側の上下一組の開口、
３２…プッシュ側の上下一組の開口、
３５、３６…ガイド突起。
【図１】
2015081433.tif 000003
【図２】
2015081433.tif 000004
【図３】
2015081433.tif 000005
【図４】
2015081433.tif 000006
【図５】
2015081433.tif 000007
【図６】
2015081433.tif 000008
【図７】
2015081433.tif 000009
【図８】
2015081433.tif 000010
【図９】
2015081433.tif 000011
【図１０】
2015081433.tif 000012
【図１１】
2015081433.tif 000013
【図１２】
2015081433.tif 000014
【図１３】
2015081433.tif 000015